(57)【要約】【課題】電池の異常によって発熱した場合に直ちに異常を報知することができる電池の異常報知装置を提供する。【解決手段】電池の異常報知装置は、電池に熱伝導可能に接続され、前記電池を熱源として熱を電力に変換可能な熱電変換素子と、前記熱電変換素子に接続され、前記熱電変換素子の前記電池を熱源とする電位差が予め定めた電池の異常時の電位差となった場合に、異常発生を報知する報知回路と、を備える。【選択図】  図１
2020061317.tif 000002
【特許請求の範囲】
【請求項１】
電池に熱伝導可能に接続され、前記電池を熱源として熱を電位差に変換可能な熱電変換素子と、
前記熱電変換素子に接続され、前記熱電変換素子の前記電池を熱源とする電位差が予め定めた電池の異常時の電位差となった場合に、異常発生を報知する報知回路と、
を備えることを特徴とする電池の異常報知装置。
【請求項２】
前記熱電変換素子は、非熱源側が前記電池を収容するケースに熱伝導可能に接続されることを特徴とする請求項１に記載の電池の異常報知装置。
【請求項３】
前記電池が二以上の電池で構成される組電池である場合に、
前記熱電変換素子は、熱源側が一の電池に熱伝導可能に接続され、非熱源側が前記一の電池に隣り合う他の一の電池に熱伝導可能に接続されることを特徴とする請求項１に記載の電池の異常報知装置。
【請求項４】
前記報知回路は、
前記熱電変換素子の前記電池を熱源とする電位差を検出可能な検出部と、
前記検出部で検出された前記熱電変換素子の前記電池を熱源とする電位差と前記予め定めた電池の異常時の電位差とを比較可能な比較部と、
前記比較部において前記熱電変換素子の前記電池を熱源とする電位差が前記予め定めた電池の異常時の電位差以上となった場合に前記異常発生を報知する報知部と
を含むことを特徴とする請求項１から３のいずれか一項に記載の電池の異常報知装置。
【請求項５】
前記報知回路は、更に、
前記検出部で検出された前記熱電変換素子の前記電池を熱源とする電位差に対応する前記電池の温度を算出可能な演算部と、
前記検出部で検出された前記熱電変換素子の前記電池を熱源とする電位差、前記演算部で算出された前記熱電変換素子の前記電池を熱源とする電位差に対応する電池の温度、及び、前記電池の識別情報を記憶可能な記憶部と
を含むことを特徴とする請求項４に記載の電池の異常報知装置。
【請求項６】
前記報知回路は、更に、
基地局から送信された電波を受信可能な通信部を含み、
前記通信部が前記基地局から送信された電波を受信した場合に、前記記憶部に記憶された前記熱電変換素子の前記電池を熱源とする電位差、前記演算部で算出された前記電池を熱源とする電位差に対応する電池の温度、及び前記電池の識別情報を前記基地局に送信すること
を特徴とする請求項５に記載の電池の異常報知装置。
【発明の詳細な説明】
【技術分野】
【０００１】
本開示は、電池の異常報知装置に関する。
【背景技術】
【０００２】
特許文献１には、組電池の異常検出装置が開示されている。かかる組電池の異常検出装置は、一つの二次電池からなるセルまたは複数のセルからなるモジュールを、複数個直列または直並列に接続した組電池と、上記組電池に熱伝導的に接して設けられた熱電素子と、上記組電池の非動作時、すなわち充電および放電を行なっていない時に、上記組電池の異常時に発生する熱によって発生する上記熱電素子の起電力によって動作し、上記組電池の温度を計測する温度モニタ回路と、上記温度モニタ回路で計測した異常時の温度を記憶する記憶手段と、を備える。
【０００３】
また、特許文献１には、上記組電池の動作時、すなわち充電時又は放電時に、上記記憶手段の記憶内容を読み出し、温度の異常上昇が記録されていた場合に異常発生を報知する判定手段を設ける旨が開示されている。
【先行技術文献】
【特許文献】
【０００４】
【特許文献１】特開平８−８３６３０号公報
【発明の概要】
【発明が解決しようとする課題】
【０００５】
特許文献１が開示する組電池の異常検出装置では、組電池の動作時、すなわち充電時又は放電時に、記憶手段の記憶内容を読み出し、温度の異常が記録されていた場合に異常発生を報知するので、電池の異常によって発熱しても直ちに異常を報知することができない。
【０００６】
上述の事情に鑑みて、本発明の少なくとも一実施形態は、電池の異常によって発熱した場合に直ちに異常を報知することができる電池の異常報知装置を提供することを目的とする。
【課題を解決するための手段】
【０００７】
（１）本発明の少なくとも一実施形態に係る電池の異常報知装置は、電池に熱伝導可能に接続され、前記電池を熱源として熱を電力に変換可能な熱電変換素子と、前記熱電変換素子に接続され、前記熱電変換素子の前記電池を熱源とする電位差が予め定めた電池の異常時の電位差となった場合に、異常発生を報知する報知回路と、を備える。
【０００８】
上記（１）の構成によれば、電池の異常によって電池が発熱すると、熱電変換素子の電池を熱源とする電位差が大きくなる。よって、熱電変換素子の電池を熱源とする電位差によって電池の異常がわかる。したがって、熱電変換素子の電池を熱源とする電位差が予め定めた電池の異常時の電位差となった場合に報知回路が異常発生を報知すれば、電池の異常を直ちに報知できる。
【０００９】
（２）幾つかの実施形態では、上記（１）の構成において、前記熱電変換素子は、非熱源側が前記電池を収容するケースに熱伝導可能に接続される。
【００１０】
上記（２）の構成によれば、電池の異常によって電池が発熱すると、電池とケースの相対温度差が大きくなり、熱電変換素子の電池を熱源とする電位差が大きくなる。よって、熱電変換素子の電池を熱源とする電位差によって、電池とケースの相対温度差がわかり、電池の異常がわかる。したがって、熱電変換素子の熱源側が電池に熱伝導可能に接続され、非熱源側が電池を収容するケースに熱伝導可能に接続されると、電池とケースの相対温度差によって電池の異常がわかる。この場合に報知回路が比較する予め定めた電池の異常時の電位差は、予め定めた電池の異常時の相対温度差を電位差に換算したものが用いられる。
【００１１】
（３）幾つかの実施形態では、上記（１）の構成において、前記電池が二以上の電池で構成される組電池である場合に、前記熱電変換素子は、熱源側が一の電池に熱伝導可能に接続され、非熱源側が前記一の電池に隣り合う他の一の電池に熱伝導可能に接続される。
【００１２】
上記（３）の構成によれば、一の電池の異常によって一の電池が発熱すると、一の電池と一の電池に隣り合う他の一の電池の相対温度差が大きくなり、熱電変換素子の一の電池を熱源とする電位差が大きくなる。よって、熱電変換素子の一の電池を熱源とする電位差によって、一の電池と一の電池に隣り合う他の一の電池の相対温度差がわかり、電池の異常がわかる。したがって、熱源側が一の電池に熱伝導可能に接続され、非熱源側が一の電池に隣り合う他の一の電池に接続されると、一の電池と一の電池に隣り合う他の一の電池の相対温度差によって一の電池の異常がわかる。この場合に報知回路が比較する予め定めた電池の異常時の電位差は、予め定めた一の電池と一の電池に隣り合う他の電池の相対温度差を電位差に換算したものが用いられる。
【００１３】
（４）幾つかの実施形態では、上記（１）から（３）のいずれか一つの構成において、前記報知回路は、前記熱電変換素子の前記電池を熱源とする電位差を検出可能な検出部と、前記検出部で検出された前記熱電変換素子の前記電池を熱源とする電位差と前記予め定めた電池の異常時の電位差とを比較可能な比較部と、前記比較部において前記熱電変換素子の前記電池を熱源とする電位差が前記予め定めた電池の異常時の電位差以上となった場合に前記異常発生を報知する報知部とを含む。
【００１４】
上記（４）の構成によれば、検出部が熱電変換素子の電池を熱源とする電位差を検出し、比較部が検出部で検出された熱電変換素子の電池を熱源とする電位差と予め定めた電池の異常時の電位差とを比較する。そして、比較部において熱電変換素子の電池を熱源とする電位差が予め定めた電池の異常時電位差以上となった場合に報知部が異常発生を報知する。よって、電池の異常によって発熱した場合に異常発生を直ちに報知できる。
【００１５】
（５）幾つかの実施形態では、上記（４）の構成において、前記報知回路は、更に、前記検出部で検出された前記熱電変換素子の前記電池を熱源とする電位差に対応する前記電池の温度を算出可能な演算部と、前記検出部で検出された前記熱電変換素子の前記電池を熱源とする電位差、前記演算部で算出された前記熱電変換素子の前記電池を熱源とする電位差に対応する電池の温度、及び、前記電池の識別情報を記憶可能な記憶部とを含む。
【００１６】
上記（５）の構成によれば、演算部が検出部で検出された熱電変換素子の電池を熱源とする電位差に対応する電池の温度を算出し、記憶部が検出部で検出された熱電変換素子の電池を熱源とする電位差、演算部で算出された熱電変換素子の電池を熱源とする電位差に対応する電池の温度、及び、電池の識別情報を記憶する。
【００１７】
（６）幾つかの実施形態では、上記（５）の構成において、前記報知回路は、更に、基地局から送信された電波を受信可能な通信部を含み、前記通信部が前記基地局から送信された電波を受信した場合に、前記記憶部に記憶された前記熱電変換素子の前記電池を熱源とする電位差、前記演算部で算出された前記電池を熱源とする電位差に対応する電池の温度、及び前記電池の識別情報を前記基地局に送信する。
【００１８】
上記（６）の構成によれば、通信部が基地局から送信された電波を受信した場合に、記憶部に記憶された熱電変換素子の電池を熱源とする電位差、演算部で算出された電池を熱源とする電位差に対応する電池の温度、及び電池の識別情報を基地局に送信する。よって、基地局において、熱電変換素子の電池を熱源とする電位差、演算部で算出された電池を熱源とする電位差に対応する電池の温度、及び電池の識別情報を取得できる。
【発明の効果】
【００１９】
本発明の少なくとも一実施形態によれば、電池の異常によって発熱した場合に直ちに報知できる。
【図面の簡単な説明】
【００２０】
【図１】本発明の一実施形態に係る電池の異常報知装置の構成を概略的に示す図である。
【図２】本発明の一実施形態に係る電池の異常報知装置の構成を概略的に示す図である。
【図３】本発明の一実施形態に係る電池の異常報知装置の構成を概略的に示す図である。
【図４】本発明の一実施形態に係る報知回路を概略的に示す図である。
【図５】本発明の一実施形態に係る報知回路を概略的に示す図である。
【図６】本発明の一実施形態に係る報知回路を概略的に示す図である。
【図７】図４に示した報知回路を含む本発明の一実施形態に係る電池の異常報知装置の制御内容を概略的に示すフローチャートである。
【図８】図３に示した本発明の一実施形態に係る電池の異常報知装置の制御内容を概略的に示すフローチャートである。
【図９】図６に示した報知回路を含む本発明の一実施形態に係る電池の異常報知装置の制御内容を概略的に示すフローチャートである。
【発明を実施するための形態】
【００２１】
以下、添付図面を参照して本発明の幾つかの実施形態について説明する。ただし、実施形態として記載されている又は図面に示されている構成部品の寸法、材質、形状、その相対的配置等は、本発明の範囲をこれに限定する趣旨ではなく、単なる説明例にすぎない。例えば、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。また例えば、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。一方、一の構成要素を「備える」、「具える」、「具備する」、「含む」、又は、「有する」という表現は、他の構成要素の存在を除外する排他的な表現ではない。
【００２２】
図１は、本発明の一実施形態に係る電池の異常報知装置１Ａの構成を概略的に示す図である。図１に示すように、本発明の一実施形態に係る電池の異常報知装置１Ａは、熱電変換素子２と、報知回路３とを備える。
【００２３】
熱電変換素子２は、電池１０に熱伝導可能に接続され、電池１０を熱源として熱を電位差に変換可能である。熱電変換素子２は、例えば、二種類の異なる金属又は半導体を接合して、両端に温度差を生じさせると起電力が生じるゼーベック効果を利用している。熱電変換素子２では、例えば、大きな電位差を得るために、ｐ型半導体２１とｎ型半導体２２を組み合わせて使用される。図１に示す例では、熱電変換素子２の熱源側２Ａが電池１０に熱伝導可能に接続され、非熱源側が開放されることで、熱電変換素子２の非熱源側２Ｂが空冷される。
【００２４】
報知回路３は、熱電変換素子２に接続され、熱電変換素子２の電池１０を熱源とする電位差が予め定めた電池の異常時の電位差となった場合に異常発生を報知する。予め定めた電池の異常時の電位差は、例えば、実験等により求められた電池の異常時の電位差である。
【００２５】
上述した本発明の一実施形態に係る電池の異常報知装置１Ａによれば、電池１０の異常によって電池１０が発熱すると、熱電変換素子２の電池１０を熱源とする電位差が大きくなる。よって、熱電変換素子２の電池１０を熱源とする電位差によって電池１０の異常がわかる。したがって、熱電変換素子２の電池１０を熱源とする電位差が予め定めた電池の異常時の電位差となった場合に報知回路３が異常発生を報知すれば、電池１０の異常を直ちに報知できる。
【００２６】
図２は、本発明の一実施形態に係る電池の異常報知装置１Ｂの構成を概略的に示す図である。図２に示すように、本発明の一実施形態に係る電池の異常報知装置１Ｂでは、熱電変換素子２の熱源側２Ａが電池１０に熱伝導可能に接続され、非熱源側２Ｂが電池１０を収容するケース２０に熱伝導可能に接続される。尚、ケース２０は、それ自体で熱容量が大きなものであるが、電動車両においては、クロスメンバやサイドメンバに取り付けられることで大きな熱容量が確保してもよい。
【００２７】
上述した本発明の一実施形態に係る電池の異常報知装置１Ｂによれば、電池１０の異常によって電池１０が発熱すると、電池１０とケース２０の相対温度差が大きくなり、熱電変換素子２の電池１０を熱源とする電位差が大きくなる。よって、熱電変換素子２の電池１０を熱源とする電位差によって、電池１０とケース２０の相対温度差がわかり、電池１０の異常がわかる。したがって、熱電変換素子２の熱源側２Ａが電池１０に熱伝導可能に接続され、非熱源側２Ｂが電池１０を収容するケース２０に熱伝導可能に接続されると、電池１０とケース２０の相対温度差によって電池１０の異常がわかる。この場合に報知回路３が比較する予め定めた電池の異常時の電位差は、予め定めた電池の異常時の相対温度差を電位差に換算したものが用いられる。
【００２８】
図３は、本発明の一実施形態に係る電池の異常報知装置１Ｃの構成を概略的に示す図である。図３に示すように、本発明の一実施形態に係る電池の異常報知装置１Ｃでは、電池１０が二以上の組電池である場合に、熱電変換素子２は、熱源側２Ａが電池１０Ａに熱伝導可能に接続され、非熱源側２Ｂが電池１０Ａに隣り合う電池１０Ｂに熱伝導可能に接続される。
【００２９】
上述した本発明の一実施形態に係る電池の異常報知装置１Ｃによれば、電池１０Ａの異常によって電池１０Ａが発熱すると、電池１０Ａと電池１０Ａに隣り合う電池１０Ｂの相対温度差が大きくなり、熱電変換素子２の一の電池を熱源とする電位差が大きくなる。よって、熱電変換素子２の電池１０Ａを熱源とする電位差によって、電池１０Ａと電池１０Ａに隣り合う電池１０Ｂの相対温度差がわかり、電池１０Ａの異常がわかる。したがって、熱源側２Ａが電池１０Ａに熱伝導可能に接続され、非熱源側２Ｂが電池１０Ａに隣り合う電池１０Ｂに接続されると、電池１０Ａと電池１０Ａに隣り合う電池１０Ｂの相対温度差によって電池１０Ａの異常がわかる。この場合に報知回路３が比較する予め定めた電池１０Ａの異常時の電位差は、予め定めた電池１０Ａの異常時の相対温度差を電位差に換算したものが用いられる。
【００３０】
図４から図６は、本発明の一実施形態に係る報知回路３（３Ａ，３Ｂ，３Ｃ）を概略的に示す図である。図４に示すように、本発明の一実施形態に係る報知回路３Ａは、検出部３１、比較部３２及び報知部３３を含む。
【００３１】
検出部３１は、熱電変換素子２の電池１０を熱源とする電位差を検出可能である。
【００３２】
比較部３２は、検出部３１で検出された熱電変換素子２の電池１０を熱源とする電位差と予め定めた電池の異常時の電位差とを比較可能である。予め定めた電池の異常時の電位差は、例えば、予め実験等によって求められた値である。
【００３３】
報知部３３は、比較部３２において熱電変換素子２の電池１０（１０Ａ）を熱源とする電位差が予め定めた電池の異常時の電位差以上となった場合に異常発生を報知する。
【００３４】
上述した本発明の一実施形態に係る報知回路３Ａによれば、検出部３１が熱電変換素子２の電池１０（１０Ａ）を熱源とする電位差を検出し、比較部３２が検出部３１で検出された熱電変換素子２の電池１０（１０Ａ）を熱源とする電位差と予め定めた電池の異常時の電位差とを比較する。そして、比較部３２において熱電変換素子２の電池１０（１０Ａ）を熱源とする電位差が予め定めた電池の異常時の電位差となった場合に報知部３３が異常発生を報知する。よって、電池１０（１０Ａ）の異常によって発熱した場合に異常発生を直ちに報知できる。
【００３５】
図５に示すように、本発明の一実施形態に係る報知回路３Ｂは、更に、演算部３４及び記憶部３５を含む。
【００３６】
演算部３４は、検出部３１で検出された熱電変換素子２の電池１０（１０Ａ）を熱源とする電位差に対応する電池１０（１０Ａ）の温度を算出可能である。
【００３７】
記憶部３５は、検出部３１で検出された熱電変換素子２の電池１０（１０Ａ）を熱源とする電位差、演算部３４で算出された熱電変換素子２の電池１０（１０Ａ）を熱源とする電位差に対応する電池１０（１０Ａ）の温度、及び、電池１０（１０Ａ）の識別情報を記憶可能である。
【００３８】
上述した本発明の一実施形態に係る報知回路３によれば、演算部３４が検出部３１で検出された熱電変換素子２の電池１０（１０Ａ）を熱源とする電位差に対応する電池１０（１０Ａ）の温度を算出し、記憶部３５が検出部３１で検出された熱電変換素子２の電池１０（１０Ａ）を熱源とする電位差、演算部３４で算出された熱電変換素子２の電池１０（１０Ａ）を熱源とする電位差に対応する電池１０の温度、及び、電池１０の識別情報を記憶する。
【００３９】
図６に示すように、本発明の一実施形態に係る報知回路３Ｃは、更に、通信部３６を含む。
【００４０】
通信部３６は、基地局から送信された電波を受信可能である。また、通信部３６は、通信部３６が基地局１００から送信された電波を受信した場合に、記憶部３５に記憶された熱電変換素子２の電池１０を熱源とする電位差、演算部３４で算出された電池１０（１０Ａ）を熱源とする電位差に対応する電池１０（１０Ａ）の温度、及び電池１０（１０Ａ）の識別情報を基地局１００に送信する。例えば、通信部３６は、ＩＣタグで構成され、基地局１００から送信された電波を受信することによって、報知回路３Ｃを起動し、記憶部３５に記憶された熱電変換素子２の電池１０を熱源とする電位差、演算部３４で算出された電池１０を熱源とする電位差に対応する電池１０（１０Ａ）の温度、及び電池１０（１０Ａ）の識別情報を基地局１００に送信する。
【００４１】
上述した本発明の一実施形態に係る報知回路３Ｃによれば、通信部３６が基地局１００から送信された電波を受信した場合に、記憶部３５に記憶された熱電変換素子２の電池１０（１０Ａ）を熱源とする電位差、演算部３４で算出された電池１０（１０Ａ）を熱源とする電位差に対応する電池１０（１０Ａ）の温度、及び電池１０（１０Ａ）の識別情報を基地局１００に送信する。よって、基地局１００において、熱電変換素子２の電池１０（１０Ａ）を熱源とする電位差、演算部３４で算出された電池１０（１０Ａ）を熱源とする電位差に対応する電池１０（１０Ａ）の温度、及び電池１０（１０Ａ）の識別情報を取得できる。
【００４２】
図７は、図４に示した報知回路３Ａを含む本発明の一実施形態に係る電池の異常報知装置１Ａの制御内容を概略的に示すフローチャートである。図７に示すように、図４に示した報知回路３Ａを含む本発明の一実施形態に係る電池の異常報知装置１Ａでは、検出部３１において熱電変換素子２の電池１０を熱源とする電位差を検出する（ステップＳ１１）。次に、比較部３２において検出部３１において検出された熱電変換素子２の電池１０を熱源とする電位差と予め定めた電池の異常時の電位差とを比較する（ステップＳ１２）。予め定めた電池の異常時の電位差は、上述したように、例えば、予め実験等によって求めた値であるが、例えば、電池１０の温度が室温よりも３０°Ｃ以上高い時の電位差である。
【００４３】
そして、比較部３２において熱電変換素子２の電池１０を熱源とする電位差が予め定めた電池の異常時の電位差以上となった場合（ステップＳ１３：Ｙｅｓ）に異常発生を報知する（発報）（ステップＳ１４）。
【００４４】
上述した報知回路３Ａを含む本発明の一実施形態に係る電池の異常報知装置１Ａによれば、電池１０の異常によって発熱した場合に異常発生を直ちに報知できる。
【００４５】
図８は、図３に示した本発明の一実施形態に係る電池の異常報知装置１Ｃの制御内容を概略的に示すフローチャートである。図８に示すように、図２に示した本発明の一実施形態に係る電池の異常報知装置１Ｃでは、検出部３１において熱電変換素子２の電池１０Ａを熱源とする電位差を検出する（ステップＳ２１）。次に、比較部３２において検出部３１において検出された熱電変換素子２の電池１０Ａの電位差と予め定めた電池の異常時の電位差とを比較する（ステップＳ２２）。予め定めた電池の異常時の電位差は、上述したように、例えば、予め実験等によって求めた値であるが、例えば、電池１０Ａの温度が室温よりも３０°Ｃ以上高い時の電位差であり、例えば、電池１０Ａに隣り合う電池１０Ｂよりも３０°Ｃ以上高い時の電位差である。
【００４６】
そして、比較部３２において熱電変換素子２の電池１０Ａを熱源とする電位差が予め定めた電池の異常時の電位差以上となった場合（ステップＳ２３：Ｙｅｓ又はステップＳ２３：Ｎｏ，ステップＳ２６：Ｙｅｓ）に異常発生を報知する（発報）（ステップＳ２４，ステップＳ２７）。本実施形態では、例えば、電池１０Ａの温度が室温よりも３０°Ｃ以上高い場合（ステップＳ２３：Ｙｅｓ）に異常発生を報知し（第１段の発報）（ステップＳ２４）、電池１０Ａの温度が室温よりも３０°Ｃ以上高くなくても（ステップＳ２３：Ｎｏ）、電池１０Ａの温度が電池１０Ａに隣り合う電池１０Ｂの温度よりも３０°Ｃ以上高い場合（ステップＳ２６：Ｙｅｓ）に異常発生を報知する（第２段の発報）（ステップＳ２７）。
【００４７】
上述した本発明の一実施形態に係る電池の異常報知装置１Ｃによれば、電池１０Ａの異常によって発熱した場合に異常発生を直ちに報知できる。また、電池１０Ａの温度が室温よりも３０°Ｃ以上高い場合には、電池１０Ａの外部で短絡していることによる異常の可能性が高い。一方、電池１０Ａの温度が電池１０Ａに隣り合う電池１０Ｂの温度よりも３０°Ｃ以上高い場合には、電池１０Ａの内部で短絡していることによる異常の可能性が高い。よって、電池１０Ａの温度が室温よりも３０°Ｃ以上高い場合の異常発生と、電池１０Ａの温度が電池１０Ａに隣り合う電池１０Ａの温度よりも３０°Ｃ以上高い場合の異常発生と、によって報知を切り分ければ、外部短絡による電池１０Ａの異常か、内部短絡による電池１０Ａの異常かを知ることができる。
【００４８】
図９は、図６に示した報知回路３Ｃを含む本発明の一実施形態に係る電池の異常報知装置１Ａ，１Ｂ，１Ｃの制御内容を概略的に示すフローチャートである。図９に示すように、図６に示した報知回路３Ｃを含む本発明の一実施形態に係る電池１０の異常報知装置１Ａ，１Ｂ，１Ｃでは、検出部３１において熱電変換素子２の電池１０を熱源とする電位差を検出する（ステップＳ３１）。次に、比較部３２において検出部３１において検出された熱電変換素子２の電池１０の電位差と予め定めた電池の異常時の電位差とを比較する（ステップＳ３２）。予め定めた電池の異常時の電位差は、上述したように、例えば、予め実験等によって求めた値であるが、例えば、電池１０（１０Ａ）の温度が室温よりも３０°Ｃ以上高い時の電位差である。
【００４９】
そして、比較部３２において熱電変換素子２の電池１０（１０Ａ）を熱源とする電位差が予め定めた電池の異常時の電位差以上となった場合（ステップＳ３３：Ｙｅｓ）に異常発生を基地局１００に報知する（ウェイクアップ信号を発報）（ステップＳ３４）。
【００５０】
基地局１００に異常発生が報知されると、基地局１００から報知回路３の通信部３６に電波が送信される。報知回路３の通信部３６が基地局１００から送信された電波を受信すると（ステップＳ３５：Ｙｅｓ）、記憶部３５に記憶された熱電変換素子２の電池１０を熱源とする電位差、演算部３４で算出された電池１０を熱源とする電位差に対応する電池１０の温度、及び電池１０の識別情報を基地局１００に送信する（ステップＳ３６）。これにより、基地局１００では、記憶部３５に記憶された熱電変換素子２の電池１０（１０Ａ）を熱源とする電位差、演算部３４で算出された電池１０（１０Ａ）を熱源とする電位差に対応する電池１０（１０Ａ）の温度、及び電池１０（１０Ａ）の識別情報を取得する。
【００５１】
上述した報知回路３Ｃを含む本発明の一実施形態に係る電池の異常報知装置１Ａ，１Ｂ，１Ｃによれば、通信部３６が基地局１００から送信された電波を受信した場合に、記憶部３５に記憶された熱電変換素子２の電池１０（１０Ａ）を熱源とする電位差、演算部３４で算出された電池１０（１０Ａ）を熱源とする電位差に対応する電池１０（１０Ａ）の温度、及び電池１０（１０Ａ）の識別情報を基地局１００に送信する。よって、基地局１００において、熱電変換素子２の電池１０（１０Ａ）を熱源とする電位差、演算部３４で算出された電池１０（１０Ａ）を熱源とする電位差に対応する電池１０（１０Ａ）の温度、及び電池１０（１０Ａ）の識別情報を取得できる。
【００５２】
本発明は上述した実施形態に限定されることはなく、上述した実施形態に変形を加えた形態や、これらの形態を適宜組み合わせた形態も含む。
【符号の説明】
【００５３】
１Ａ，１Ｂ，１Ｃ    電池の異常報知装置
２    熱電変換素子
２Ａ    熱源側
２Ｂ    非熱源側
２１    ｐ型半導体
２２    ｎ型半導体
３，３Ａ，３Ｂ，３Ｃ    報知回路
３１    検出部
３２    比較部
３３    報知部
３４    演算部
３５    記憶部
３６    通信部
１０，１０Ａ，１０Ｂ    電池
２０    ケース
１００    基地局
【図１】
2020061317.tif 000003
【図２】
2020061317.tif 000004
【図３】
2020061317.tif 000005
【図４】
2020061317.tif 000006
【図５】
2020061317.tif 000007
【図６】
2020061317.tif 000008
【図７】
2020061317.tif 000009
【図８】
2020061317.tif 000010
【図９】
2020061317.tif 000011